(57)【要約】【課題】暗所下であっても、着用者に対する着用性を高めて、排泄物の漏れを改善した使い捨ておむつを提供する。【解決手段】使い捨ておむつ１は、幅方向外側の両方に延出する一対の背側サイドフラップ部２０Ａ，２０Ｂと、前胴回り領域ＦＡと後胴回り領域ＢＡとを止着する一対の止着テープ５１，５２とを備える。一対の止着テープ５１，５２には、第１の色によって着色される第１着色領域Ｃ１が形成され、吸収性コア１３１を被覆する被覆シート１３２には、第２の色によって着色される第２着色領域Ｃ２が形成される。第２着色領域Ｃ２の前後方向の前側の端部は、前胴回り領域ＦＡ内に位置している。第１着色領域Ｃ１と、第２着色領域Ｃ２とは、幅方向中心線ＷＣＬを中心軸として、対称に形成されている。第１の色と第２の色とは、反射率曲線における反射率のピークが４００〜６５０ｎｍの波長の範囲内に位置する色である。【選択図】図１
2014200372.tif 000002
【特許請求の範囲】
【請求項１】
前後方向と前記前後方向に直交する方向である幅方向とを有し、
吸収性コアと、前記吸収性コアを被覆する被覆シートと、前記被覆シートよりも着用者の肌側に配置される液透過性の表面シートと、を有する吸収性本体を備え、
前記前後方向において、前胴回り領域と、後胴回り領域と、前記前胴回り領域と前記後胴回り領域との間に配置される股下領域とを有する使い捨ておむつであって、
前記吸収性本体よりも幅方向外側の両方に延出する一対のフラップ部と、
前記一対のフラップ部のそれぞれの幅方向外側の端部よりも幅方向外側の両方に延出し、前記前胴回り領域と前記後胴回り領域とを止着する一対の止着テープとを備え、
前記一対の止着テープには、第１の色によって着色される第１着色領域が形成されており、
前記被覆シートには、第２の色によって着色される第２着色領域が前記前後方向に延びるように形成されており、
前記第２着色領域の前後方向の前側の端部は、前記前胴回り領域内に位置しており、
前記第１着色領域と、前記第２着色領域とは、前記使い捨ておむつの幅方向中心線を中心軸として、対称に形成されており、
前記第１着色領域における前記第１の色と、前記第２着色領域における前記第２の色とは、反射率曲線における反射率のピークが４００〜６５０ｎｍの波長の範囲内に位置する色である
ことを特徴とする使い捨ておむつ。
【請求項２】
前記後胴回り領域には、前記幅方向に伸縮性を有するウエスト弾性部材を備えるウエストギャザーが配置されており、
前記一対の止着テープの前後方向における後側の端部は、前記ウエストギャザーの幅方向外側に配置されている
ことを特徴とする請求項１に記載の使い捨ておむつ。
【請求項３】
前記一対の止着テープの前後方向における後側の端部は、前記ウエストギャザーの前後方向における前側の端部から前後方向における後側に向かって、前記ウエストギャザーの前後方向における全長の３０％以上の位置に配置されている
ことを特徴とする請求項２に記載の使い捨ておむつ。
【請求項４】
前記第２着色領域の前後方向の後側の端部は、前記使い捨ておむつの前後方向中心よりも前後方向の後側に位置する
ことを特徴とする請求項１乃至３の何れか一項に記載の使い捨ておむつ。
【請求項５】
少なくとも前記使い捨ておむつの股下領域において、前記第２着色領域の幅方向の長さと、前記吸収性コアの幅方向の長さとは、同等である
ことを特徴とする請求項１乃至４の何れか一項に記載の使い捨ておむつ。
【請求項６】
前記吸収性本体は、被覆シートよりも衣服側に配置される不液透過性の裏面シートを更に備え、
前記吸収性コアと前記裏面シートとの間には、着用者の体液が排泄されたことを前記裏面シートの外側から識別可能なインジケータ部が配置されており、
前記インジケータ部には、第３の色によって着色される第３着色領域が前記使い捨ておむつの幅方向中心に沿って形成されており、
前記第３着色領域の幅方向における長さは、1.5mm以上であり、前記第３着色領域における前記第３の色は、反射率曲線における反射率のピークが４００〜６５０ｎｍの波長の範囲内に位置する色である
ことを特徴とする請求項１乃至５の何れか一項に記載の使い捨ておむつ。
【請求項７】
前記吸収性コアの前記表面シート側において、前記被覆シートの幅方向外側における一方の端部と、前記被覆シートの幅方向外側における他方の端部との間には、前記被覆シートが重複する所定の重複領域が形成されており、
前記所定の重複領域の幅方向における長さは、５ｍｍ〜３５ｍｍの範囲内である
ことを特徴とする請求項１乃至６の何れか一項に記載の使い捨ておむつ。
【請求項８】
前記表面シートは、前後方向に延びる凹凸部を有する
ことを特徴とする請求項１乃至７の何れか一項に記載の使い捨ておむつ。
【請求項９】
前記吸収性本体は、前記吸収性コアと前記被覆シートとに設けられ、前後方向に延びる凹部を備える
ことを特徴とする請求項１乃至８の何れか一項に記載の使い捨ておむつ。
【発明の詳細な説明】
【技術分野】
【０００１】
本発明は、オープン型の使い捨ておむつに関する。
【背景技術】
【０００２】
従来、前胴回り領域と、後胴周り領域と、前胴回り領域と後胴周り領域との間に位置する股下領域とを有するオープン型の使い捨ておむつが知られている。この種の使い捨ておむつは、後胴回り領域において、幅方向外側の両方に延出する一対のフラップ部と、当該一対のフラップ部のそれぞれの幅方向外側の端部よりも幅方向外側の両方に延出する一対の止着テープとを備える。当該一対の止着テープは、使い捨ておむつを着用者に装着する際に、後胴回り領域と前胴回り領域とを止着するように構成されている。
【０００３】
また、止着テープに着色を施した使い捨ておむつも提案されている（例えば、特許文献１参照）。特許文献１に係る使い捨ておむつでは、一対の止着テープのそれぞれに設けられたタブに着色が施されている。このような使い捨ておむつによれば、使い捨ておむつの上に着用者を仰向けに寝かせて、使い捨ておむつを着用者に装着する際に、着色されたタブを有する止着テープが視認され易いという利点がある。
【先行技術文献】
【特許文献】
【０００４】
【特許文献１】実開平７−２２７２７号公報
【発明の概要】
【発明が解決しようとする課題】
【０００５】
ところで、着用者に対する使い捨ておむつの着用性を高めるためには、使い捨ておむつの上に着用者を仰向けに寝かせた際に、着用者の身体の幅方向中心と、使い捨ておむつの幅方向中心とを平行に配置する。そして、その後に、使い捨ておむつを着用者に装着することが好ましい。
【０００６】
また、乳幼児などの着用者に使い捨ておむつを装着する作業は、昼間だけでなく、夜中などのように昼間に比べて暗い環境下においても実施される。例えば、乳幼児が寝ている場合には、目を覚まさせないように常夜灯（黄色豆電球）を点灯した暗い環境下において、使い捨ておむつが装着されることもある。
【０００７】
また、アセアン諸国等の発展途上国や新興国では、気候環境的な理由から、住宅の部屋に窓が設けられていない、又は、小さな窓しか設けられていない場合が多い。このような住宅の部屋における明かりは、部屋の出入り口から入る光、又は、小さな窓から入る光のみとなる。また、部屋に電灯が設けられていたとしても、経済的な理由から昼間は電灯を点灯せずに、日光の明かりによって生活している場合が多い。このように、発展途上国や新興国では、昼間であっても暗い環境下において、着用者に使い捨ておむつを装着する作業が実施されることになる。
【０００８】
ここで、従来技術に係る使い捨ておむつでは、止着テープが着色されているため、暗い環境下（以下、暗所下）であっても止着テープを視認しやすいものの、使い捨ておむつの他の部分を正確に視認することが困難である。よって、暗所下では、着用者の身体の幅方向中心と、使い捨ておむつの幅方向中心とを平行に配置することが困難になることが考えられる。このよう場合、着用者の身体の幅方向中心に対して、使い捨ておむつの幅方向中心が傾斜した状態となる。また、かかる状態のまま、使い捨ておむつが着用者に装着されると、着用者に対する使い捨ておむつの着用性が高められず、その結果、着用者の排泄物が漏れてしまうという問題があった。
【０００９】
そこで、本発明は、上述の課題に鑑みてなされたものであり、暗所下であっても、着用者に対する着用性を高めて、排泄物の漏れを改善した使い捨ておむつを提供することを目的とする。
【課題を解決するための手段】
【００１０】
上述した課題を解決するため、本開示に係る使い捨ておむつは、前後方向と前記前後方向に直交する方向である幅方向とを有し、吸収性コアと、前記吸収性コアを被覆する被覆シートと、前記被覆シートよりも着用者の肌側に配置される液透過性の表面シートと、を有する吸収性本体を備え、前記前後方向において、前胴回り領域と、後胴回り領域と、前記前胴回り領域と前記後胴回り領域との間に配置される股下領域とを有する使い捨ておむつであって、前記吸収性本体よりも幅方向外側の両方に延出する一対のフラップ部と、前記一対のフラップ部のそれぞれの幅方向外側の端部よりも幅方向外側の両方に延出し、前記前胴回り領域と前記後胴回り領域とを止着する一対の止着テープとを備え、前記一対の止着テープには、第１の色によって着色される第１着色領域が形成されており、前記被覆シートには、第２の色によって着色される第２着色領域が前記前後方向に延びるように形成されており、前記第２着色領域の前後方向の前側の端部は、前記前胴回り領域内に位置しており、前記第１着色領域と、前記第２着色領域とは、前記使い捨ておむつの幅方向中心線を中心軸として、対称に形成されており、前記第１着色領域における前記第１の色と、前記第２着色領域における前記第２の色とは、反射率曲線における反射率のピークが４００〜６５０ｎｍの波長の範囲内に位置する色であることを要旨とする。
【発明の効果】
【００１１】
暗所下であっても、着用者に対する着用性を高めて、排泄物の漏れを改善した使い捨ておむつを提供する。
【図面の簡単な説明】
【００１２】
【図１】第１実施形態に係る使い捨ておむつの平面図である。
【図２】第１実施形態に係る使い捨ておむつの組み立て図である。
【図３】図１のＡ−Ａ線における断面図である。
【図４】使い捨ておむつ１を着用者に装着する際の状態を模式的に示した図である。
【図５】使い捨ておむつ１を着用者に装着する際の状態を模式的に示した図である。
【図６】第１実施形態の変形例１に係る使い捨ておむつの平面図である。
【図７】第１実施形態の変形例２に係る使い捨ておむつの断面図である。
【発明を実施するための形態】
【００１３】
（第１実施形態に係る使い捨ておむつ）
第１実施形態に係る使い捨ておむつについて、図面を参照しながら説明する。なお、以下の図面の記載において、同一または類似の部分には、同一または類似の符号を付している。ただし、図面は模式的なものであり、各寸法の比率などは現実のものとは異なることに留意すべきである。
【００１４】
具体的な寸法などは以下の説明を参酌して判断すべきものである。また、図面相互間においても互いの寸法の関係や比率が異なる部分が含まれていることは勿論である。また、以下の説明において、同様の作用効果を有する構成については、同一の番号を付けて詳細な説明は省略する。
【００１５】
図１は、第１実施形態に係る使い捨ておむつ１の肌当接面側の平面図である。図２は、使い捨ておむつの組み立て図である。図３は、図１に示す使い捨ておむつ１のＡ−Ａ線における断面図である。
【００１６】
使い捨ておむつ１は、前後方向Ｌと前後方向Ｌに直交する方向である幅方向Ｗとを有する。また、使い捨ておむつ１は、前後方向Ｌにおいて、前胴回り領域ＦＡと、後胴回り領域ＢＡと、前胴回り領域ＦＡと後胴回り領域ＢＡとの間に配置される股下領域ＣＡとを有する。なお、本実施形態において、前後方向Ｌにおける前側とは、図１に示す下側であり、前後方向Ｌにおける後側とは、図１の上側である。
【００１７】
また、使い捨ておむつ１は、吸収性本体１０と、一対の背側サイドフラップ部２０Ａ，２０Ｂと、一対の腹側サイドフラップ部３０Ａ，３０Ｂとを備える。なお、背側サイドフラップ部２０Ａ，２０Ｂは、着用者の胴周りの背中側に宛がわれる。また、腹側サイドフラップ部３０Ａ，３０Ｂは、着用者の胴周りの腹側に宛がわれる。
【００１８】
吸収性本体１０は、矩形状である。吸収性本体１０は、吸収性コア１３１と、吸収性コア１３１を被覆する被覆シート１３２と、被覆シート１３２よりも着用者の肌側に配置される液透過性の表面シート１１０と、被覆シート１３２と表面シート１１０との間に配置される中間シート１５０と、被覆シート１３２よりも衣服側に配置される不液透過性の裏面シート１２１とを有する。なお、本実施形態に係る吸収性本体１０は、中間シート１５０を有する場合を例に挙げているが、中間シート１５０を有していなくてもよい。
【００１９】
また、吸収性本体１０の幅方向外側には、サイドシート１４１，１４２が配置されている。吸収性本体１０の衣服側には、外装シート１２２が配置されている。
【００２０】
表面シート１１０は、不織布、織布、有孔プラスチックシート、メッシュシート等、液体を透過する構造のシート状の材料であれば、特に限定されない。織布や不織布の素材としては、天然繊維、化学繊維のいずれも使用できる。
【００２１】
天然繊維の例としては、粉砕パルプ、コットン等のセルロースが挙げられる。化学繊維の例としては、レーヨン、フィブリルレーヨン等の再生セルロース、アセテート、トリアセテート等の半合成セルロース、熱可塑性疎水性化学繊維、又は親水化処理を施した熱可塑性疎水性化学繊維などが挙げられる。熱可塑性疎水性化学繊維の例としては、ポリエチレン（ＰＥ）、ポリプロピレン（ＰＰ）、ポリエチレンテレフタレート（ＰＥＴ）等の単繊維、ポリエチレンとポリプロピレンをグラフト重合してなる繊維、芯鞘構造等の複合繊維が挙げられる。例えば、表面シート１１０は、目付２３ｇ／ｍ２のポイントボンド不織布である。
【００２２】
また、本実施形態に係る表面シート１１０では、目付２３ｇ／ｍ２のポイントボンド不織布を用いることによって、表面シート１１０の着用者の肌側から、表面シート１１０よりも衣服側に配置される被覆シート１３２の着色が視認可能に構成されている。
【００２３】
表面シート１１０としての不織布を作成する方法としては、乾式（カード法、スパンボンド法、メルトブローン法、エアレイド法等）及び湿式のいずれか一つの方法を用いることができる。乾式法と湿式法のうち、複数の方法を組み合わせてもよい。また、サーマルボンディング、ニードルパンチ、ケミカルボンディング等の方法が挙げられる。不織布を作成する方法は、上述の方法に限定されない。
【００２４】
また、表面シート１１０は、前後方向Ｌに延びる凹凸部１１１を有する。本実施形態では、凹凸部１１１は、表面シート１１０の前後方向Ｌの前側の端部から、後側の端部にわたって設けられている。凹凸部１１１は、表面シート１１０の目付を増減させることによって形成されていても良いし、表面シート１１０を圧搾することによって形成されていても良い。
【００２５】
裏面シート１２１は、液不透過性のフィルムからなる。外装シート１２２は、ＳＭＳ不織布（スパンボンド不織布とメルトブロー不織布との複合不織布）、スパンボンド不織布、ポイントボンド不織布から構成された疎水性の不織布である。外装シート１２２と裏面シート１２１とは、ホットメルト型接着剤（以下、ＨＭＡとする）等で接合されている。例えば、裏面シート１２１は、目付１６ｇ／ｍ２の非通気性フィルムであり、外装シート１２２は、目付１３ｇ／ｍ２のＳＭＳ不織布である。
【００２６】
吸収性コア１３１は、親水性繊維、高吸収性ポリマーを含む。親水性繊維の例としては、粉砕パルプ、コットン等のセルロース、レーヨン、フィブリルレーヨン等の再生セルロース、アセテート、トリアセテート等の半合成セルロース、粒子状ポリマー、繊維状ポリマー、熱可塑性疎水性化学繊維、又は、親水化処理を施した熱可塑性疎水性化学繊維等を単独又は混合して用いることができる。これらの中でも、低コストと吸収性コアの成形し易さとを考慮すると、粉砕パルプを使用することが好ましい。親水性繊維に高分子吸収体を混合したものを使用してもよい。
【００２７】
吸収性コア１３１は、被覆シート１３２によって包まれている。本実施形態では、被覆シート１３２は、ティッシュである。被覆シート１３２は、吸収性コアを包んだ状態で、裏面シート１２１の肌側の表面にＨＭＡ等で接合される。
【００２８】
被覆シート１３２は、吸収性コア１３１を包み込むために、所定の重複領域Ｓを有する。具体的に、吸収性コア１３１の表面シート１１０側において、被覆シート１３２の幅方向外側における一方の端部１３２ｘと、被覆シート１３２の幅方向外側における他方の端部１３２ｙとの間には、被覆シート１３２が重複する所定の重複領域Ｓが形成されている。つまり、図３に示すように、所定の重複領域Ｓの幅方向外側の端部は、被覆シート１３２の幅方向外側における他方の端部１３２ｘと、被覆シート１３２の幅方向外側における他方の端部１３２ｙである。
【００２９】
また、本実施形態に係る被覆シート１３２には、着色領域が形成されている。なお、着色領域の詳細な構成については、後述する。
【００３０】
サイドシート１４１、１４２は、吸収性本体１０の表面シート１１０の幅方向Ｗにおける両側に配設される。サイドシート１４１，１４２は、裏面シート１２１よりも幅方向Ｗ外側において、外装シート１２２に接合されている。サイドシート１４１，１４２と外装シート１２２との間には、後述する第１レッグ弾性部材が配置されている。
【００３１】
サイドシート１４１，１４２は、例えば、外装シート１２０と同様の材料から選ぶことができる。但し、サイドシート１４１，１４２を乗り越えて使い捨ておむつ１の幅方向外側へ尿や便などの排泄物が流れることを防止するためには、疎水性又は撥水性を有することが好ましい。
【００３２】
サイドシート１４１，１４２は、疎水性の不織布、透湿又は非透湿性のフィルム、若しくは疎水性の不織布と透湿又は非透湿性のフィルムとを貼り合わせた複合シートからなる。ポリエチレン、ポリプロピレン等を主体としたフィルム、通気性のある樹脂フィルム、スパンボンド、又はスパンレース等の不織布に通気性の樹脂フィルムが接合されたシートなどを用いることができる。本実施形態に係るサイドシート１４１，１４２は、目付１５ｇ／ｍ２のＳＭＳ不織布からなる。
【００３３】
吸収性本体１０の前後方向における両端部には、一対の背側サイドフラップ部２０Ａ，２０Ｂと、一対の腹側サイドフラップ部３０Ａ，３０Ｂとが、それぞれ設けられている。一対の背側サイドフラップ部２０Ａ，２０Ｂと、一対の腹側サイドフラップ部３０Ａ，３０Ｂとは、外装シート１２２とサイドシート１４１，１４２とによって構成されている。
【００３４】
一対の背側サイドフラップ部２０Ａ，２０Ｂは、少なくとも吸収性本体１０の前後方向Ｌの後胴回り領域ＢＡに設けられる。なお、本実施形態において、一対の背側サイドフラップ部２０Ａ，２０Ｂは、後胴回り領域ＢＡに配置され、吸収性本体１０よりも幅方向Ｗ外側の両方に延出する一対のフラップ部を構成する。
【００３５】
また、一対の腹側サイドフラップ部３０Ａ，３０Ｂは、少なくとも吸収性本体１０の前後方向における前胴回り領域ＦＡに設けられている。
【００３６】
一対の背側サイドフラップ部２０Ａ，２０Ｂのそれぞれは、止着テープを一つずつ備える。具体的に、一対の背側サイドフラップ部２０Ａ，２０Ｂのそれぞれの幅方向外側の端部よりも幅方向外側の両方に延出し、前胴回り領域ＦＡと後胴回り領域ＢＡとを止着する一対の止着テープ５１，５２が設けられている。一対の止着テープ５１，５２は、背側サイドフラップ部２０Ａ，２０Ｂにおける幅方向外側の端部に取り付けられる。
【００３７】
一対の止着テープ５１，５２のそれぞれは、使い捨ておむつの幅方向Ｗにおける中心を通り、かつ前後方向Ｌに延びる幅方向中心線ＷＣＬを中心軸として対称に配置される。
【００３８】
一対の止着テープ５１，５２のそれぞれは、同様の形状であり、長方形状に形成されている。具体的に、止着テープ５１の幅方向Ｗにおける長さは、止着テープ５１の前後方向Ｌにおける長さよりも長い。
【００３９】
吸収性本体１０の前胴回り領域ＦＡの衣服当接面側には、止着テープ５１、５２が係止される係止テープ５３が設けられている。止着テープ５１、５２のそれぞれには、止着部５１ｘ，５２ｘがそれぞれ設けられている。止着部５１ｘ，５２ｘは、いわゆる面ファスナーの雄部材であり、係止テープ５３は雌部材である。
【００４０】
止着部５１ｘ，５２ｘには、複数の鉤状の突起群（フックという）を有する係合面が形成される。止着テープの素材としては、例えば、ＰＰＳＢ（ポリプロピレンスパンボンド不織布）があげられ、例えば、目付８０ｇ／ｍ２のＰＰＳＢを用いることが好ましい。フックの目付は１００ｇ／ｍ２であることが好ましい。
【００４１】
係止テープ５３は、フックが係合可能な不織布や編み物である。不織布を構成する繊維質材としては、芯鞘構造を有する複合繊維が用いられる。繊維質材としては、芯成分／鞘成分が、例えば、ＰＰ（ポリプロピレン）／ＰＥ（ポリエチレン）、ＰＰ／低融点ＰＰ、ＰＥＴ（ポリエチレンテレフタレート）／低融点ＰＥＴ、ＰＥＴ／ＰＥの組み合わせを用いる。繊維質材に、レーヨン、ＰＥＴ、ＰＰ、ナイロン等のポリアミド、アクリル、ウレタン、コットン等の繊維を混合してもよい。例えば、雌部材の目付は３８ｇ／ｍ２である。
【００４２】
本実施形態に係る一対の止着テープ５１，５２のそれぞれには、着色領域が形成されている。なお、着色領域の詳細な構成については、後述する。
【００４３】
また、吸収性本体１０には、後胴回り領域ＢＡにおいて、幅方向Ｗに伸縮性を有するウエスト弾性部材を備えるウエストギャザー８０が配置されている。
【００４４】
ウエストギャザー８０は、少なくとも幅方向に伸長された状態で配置されている。ウエストギャザー８０の幅方向外側端部は、吸収性本体１０の幅方向外側端部よりも幅方向内側に位置する。ウエストギャザー８０は、表面シート１１０と裏面シート１２１との間に配置されている。
【００４５】
本実施形態に係るウエストギャザー８０は、ウエスト弾性部材として、例えば、ポリエチレン、ポリウレタンを主体とした伸縮性のある樹脂フィルムを有する。本実施形態に係るウエストギャザー８０は、目付６０ｇ/ｍ２のポリウレタンフィルムを用いている。
【００４６】
本実施形態では、一対の止着テープ５１，５２の間に、ウエストギャザー８０が、設けられている。また、一対の止着テープ５１，５２の前後方向Ｌにおける後側の端部５２ａが、ウエストギャザー８０の幅方向Ｗ外側に配置されている。
【００４７】
また、一対の止着テープ５１，５２の前後方向Ｌにおける後側の端部５１ｂ，５２ｂは、ウエストギャザー８０の前後方向Ｌにおける前側に位置する端部８０ａから前後方向Ｌにおける後側に向かって、ウエストギャザー８０の前後方向Ｌにおける全長の３０％以上の位置に配置されている。
【００４８】
詳細には、図１に示すように、一対の止着テープ５１，５２の前後方向における後側の端部５１ｂ，５２ｂとウエストギャザー８０の前後方向における前側の端部８０ａとの前後方向Ｌにおける長さをＬａとし、ウエストギャザー８０の前後方向Ｌにおける全長をＬ８０とした場合、Ｌａ≧Ｌ８０×０．３の関係を満たす。
【００４９】
ここで、本実施形態において、前後方向Ｌにおける長さは、次のようにして測定することができる。まず、使い捨ておむつ１に設けられる全ての弾性部材を所定部分にて製品をカットすることで、非伸長状態の弾性部材を有する使い捨ておむつ１を生成する。つぎに、図１に示すように、使い捨ておむつ１を展開した状態で、ものさしを用いて前後方向Ｌにおける長さの寸法を測定する。また、幅方向Ｗにおける長さを測定する場合も、非伸長状態の弾性部材を有する使い捨ておむつ１を生成して、寸法を測定する。
【００５０】
また、一対の止着テープ５１，５２の前後方向Ｌにおける前側の端部５１ａ，５２ａは、ウエストギャザー８０の前後方向Ｌにおける前側に位置する端部８０ａよりも前後方向Ｌにおける前側に配置されている。
【００５１】
このように、ウエストギャザー８０の前後方向Ｌにおける位置と、一対の止着テープ５１，５２の前後方向Ｌにおける位置とは、前後方向Ｌにおいて重複しており、重複部分の前後方向Ｌにおける長さは、ウエストギャザー８０の前後方向における全長の３０％以上である。
【００５２】
使い捨ておむつ１には、吸収性本体１０の前後方向Ｌに沿って伸長された状態で複数の弾性部材が配置されている。複数の弾性部材は、使い捨ておむつの幅方向における中心を通り、かつ前後方向に延びる幅方向中心線ＷＣＬを中心軸として対称に配置される。複数の弾性部材は、着用者の脚回りに形成されるレッグギャザーを構成するレッグ弾性部材１２３と、レッグサイドギャザーを構成するレッグサイド弾性部材１２５と、を有する。
【００５３】
レッグ弾性部材１２３は、左右２本ずつ配置されており、幅方向外側に位置する第１レッグ弾性部材１２３ａと、幅方向内側に位置する第２レッグ弾性部材１２３ｂを有する。第１レッグ弾性部材１２３ａは、複数の弾性部材のうち最も幅方向外側に位置する弾性部材である。レッグ弾性部材１２３は、外装シート１２２とサイドシート１４１との間に前後方向に伸長された状態で配置されている。よって、レッグ弾性部材１２３の弾性力は、吸収性本体１０を前後方向Ｌに収縮する方向に作用する。
【００５４】
第１レッグ弾性部材１２３ａ、１２３ｂは、裏面シート１２１よりも幅方向外側における外装シート１２２の肌当接面側の表面とサイドシート１４１、１４２の非肌当接面側との間に、吸収性本体１０の前後方向Ｌに沿って伸長された状態で、ＨＭＡ等の接着材を介して接合されている。
【００５５】
レッグサイド弾性部材１２５は、左右１本ずつ配置されている。レッグサイド弾性部材１２５は、サイドシート１４１，１４２の幅方向における内側端部に配置されている。
【００５６】
レッグサイド弾性部材１２５は、前後方向に沿って伸縮可能な収縮部を有する起立性のレッグサイドギャザーを構成する。サイドシート１４１は、幅方向に内側端部においてレッグサイド弾性部材１２５を巻き込むようにして内側に折り返されている。レッグサイド弾性部材１２５を設けることにより、着用者から排出された排泄物がサイドシート１４１から幅方向外側に出ることを防止できる。
【００５７】
また、使い捨ておむつ１の吸収性本体１０には、インジケータ部２００が配置されている。具体的に、図１及び３に示すように、吸収性コア１３１と裏面シート１２１との間には、着用者の体液が排泄されたことを裏面シート１２１の外側から識別可能なインジケータ部２００が配置されている。
【００５８】
インジケータ部２００は、使い捨ておむつ１の幅方向Ｗ中心に沿って配置されている。インジケータ部２００の幅方向Ｗにおける長さＷ２００は、１．５ｍｍ以上であることが好ましい。
【００５９】
インジケータ部２００に用いる部材としては、排泄物としての液体を吸収すると、色が変化する部材であれば、どのようなものを用いても良い。インジケータ部２００に用いる部材としては、液体の水素イオン濃度（ｐＨ値）に応じて呈色反応する指示薬を含有するホットメルト接着剤や塗料を用いてもよい。また、インジケータ部２００の部材としては、尿等の液体によって消色するように、水溶性を有する水溶性インクを用いてもよい。なお、インジケータ部２００は、液体を吸収した際に絵柄又は文字が表示される紙製シート又はフィルムシート等を適用しても良い。
【００６０】
（着色領域の構成）
次に着色領域の構成について説明する。本実施形態に係る使い捨ておむつ１では、一対の止着テープ５１と、被覆シート１３２に、着色領域が形成されている。
【００６１】
一対の止着テープ５１，５２には、第１の色によって着色される第１着色領域Ｃ１が形成されている。本実施形態では、一対の止着テープ５１，５２の全領域を着色することによって、第１着色領域Ｃ１が形成されている。したがって、第１着色領域Ｃ１は、幅方向Ｗに延びるように形成されている。第１着色領域Ｃ１は、一対の止着テープ５１，５２の着用者の肌側の表面と、一対の止着テープ５１，５２の衣服側の表面とを含む領域である。なお、図１には、第１着色領域Ｃ１が網掛け模様によって示されている。
【００６２】
被覆シート１３２には、第２の色によって着色される第２着色領域Ｃ２が前後方向Ｌに延びるように形成されている。なお、本実施形態では、被覆シート１３２に第２の色によって着色される第２着色領域Ｃ２が形成されているケースを例に挙げて説明する。具体的に、被覆シート１３２の全領域に第２着色領域Ｃ２が形成されている。なお、図１には、第２着色領域Ｃ２が網掛け模様によって示されている。
【００６３】
但し、中間シート１５０に第２着色領域Ｃ２が形成されていてもよい。具体的に、中間シート１５０の全領域に第２着色領域Ｃ２が形成されていてもよい。更に、被覆シート１３２と中間シート１５０との両方に第２着色領域Ｃ２が形成されていてもよい。つまり、被覆シート１３２又は中間シート１５０の少なくとも一方に、第２着色領域Ｃ２が形成されていてもよい。
【００６４】
第２着色領域Ｃ２は、使い捨ておむつ１の幅方向中心線ＷＣＬを含み、前後方向Ｌに延びるように形成されている。具体的に、使い捨ておむつ１の幅方向中心線ＷＣＬは、第２着色領域Ｃ２の幅方向中心に位置する。よって、第２着色領域Ｃ２は、使い捨ておむつ１の幅方向Ｗにおける中心を通り、かつ前後方向Ｌに延びる幅方向中心線ＷＣＬを中心軸として、対称に形成されている。
【００６５】
第２着色領域Ｃ２は、長方形状に形成されている。つまり、第２着色領域Ｃ２の前後方向Ｌにおける長さは、第２着色領域Ｃ２の幅方向Ｗにおける長さよりも長い。
【００６６】
また、第２着色領域Ｃ２の前後方向Ｌの前側の端部Ｃ２ａは、前胴回り領域ＦＡ内に位置する。一方、第２着色領域Ｃ２の前後方向Ｌの後側の端部Ｃ２ｂは、使い捨ておむつ１の前後方向中心ＬＣＬよりも前後方向Ｌの後側に位置する。具体的に、図１に示すように、第２着色領域Ｃ２は、後胴回り領域ＢＡの一部から、股下領域ＣＡを介して、前胴回り領域ＦＡの一部にわたって形成されている。
【００６７】
また、第２着色領域Ｃ２は、吸収性コア１３１を被覆する被覆シート１３２の全領域を着色することによって形成されている。従って、本実施形態では、第２着色領域Ｃ２の幅方向Ｗにおける最大長さは、吸収性コア１３１の幅方向Ｗにおける最大長さよりも、被覆シート１３２の厚みの分だけ幅方向Ｗ外側に広い。
【００６８】
なお、第２着色領域Ｃ２の幅方向外側の端部Ｃ２ｃ，Ｃ２ｄは、被覆シート１３２における所定の重複領域Ｓよりも幅方向Ｗの外側に配置されている。
【００６９】
また、図３に示すように、所定の重複領域Ｓの幅方向Ｗにおける長さＷ２は、５ｍｍ〜３５ｍｍの範囲であることが好ましい。また、かかる所定の重複領域Ｓは、使い捨ておむつ１の幅方向中心線ＷＣＬ上に位置することが好ましい。更に、かかる所定の重複領域Ｓの幅方向Ｗにおける中心が、使い捨ておむつ１の幅方向中心線ＷＣＬ上に位置することが好ましい。
【００７０】
また、本実施形態において、第１の色と第２の色とは、反射率曲線における反射率のピークが４００〜６５０ｎｍの波長の範囲内に位置する色である。なお、第１の色と第２の色とは、反射率曲線における反射率のピークが５００〜６５０ｎｍの波長の範囲内に位置する色であることが好ましい。つまり、第１の色と第２の色とは、常夜灯（黄色豆電球）を点灯したような暗所下において、青、青緑、又は、緑に見える色であることが好ましい。更には、反射率曲線における反射率のピークが５４０〜５６０ｎｍの範囲内の色であることがより好ましい。
【００７１】
なお、本実施形態では、第１の色と第２の色とは、同系色であることが好ましい。例えば、第１の色と第２の色とは、緑に見える色であることが好ましい。また、第１の色と第２の色とをこのような色によって構成することで、第１着色領域Ｃ１及び第２着色領域Ｃ２は、昼間のような明所下においても見やすくできる。
【００７２】
また、第１着色領域Ｃ１と第２着色領域Ｃ２との以外の領域では、第１の色と第２の色とは異なる色を有することが好ましい。すなわち、第１着色領域Ｃ１と第２着色領域Ｃ２との以外の領域では、反射率曲線における反射率のピークが４００〜６５０ｎｍの波長の範囲外に位置する色であることが好ましい。例えば、第１着色領域Ｃ１と第２着色領域Ｃ２以外の領域では、白に見える色であることが好ましい。
【００７３】
なお、反射率曲線は、反射率（値）と各波長（値）との関係を示し、色を識別する指標として用いることができる。反射率曲線は、光源からの発光（基準光）に対する反射率を測定することによって求めることができる。具体的に、反射率の測定は、分光測色計を用いて行いて行うことができる。例えばコニカミノルタ株式会社製の分光測色計ＣＭ７００ｄ（商品名）を用いて行うことができる。
【００７４】
分光測色計による計測方法は以下の方法によって行うことができる。まず、測定サンプルとして、第１着色領域Ｃ１の一部及び第２着色領域Ｃ２の一部を切り出す。また、光源は国際照明委員会（ＣＩＥ）の規格において規定されるＣ光源２度視野とし、付属の標準白板にて標準合わせを行った後に測定サンプルを試料台の上に置き、付属の試料押さえによって試料を固定した状態で反射測定を行う。
【００７５】
このようにして、測定サンプルそれぞれの分光反射スペクトルを測定し、例えば、４００〜７００ｎｍの波長について各波長ごとの反射率を測定する。これにより、第１着色領域Ｃ１における第１の色の反射率と第２着色領域Ｃ２における第２の色の反射率とを測定できる。
【００７６】
なお、インジケータ部２００にも、第３の色を有する第３着色領域Ｃ３が形成されていることが好ましい。具体的に、インジケータ部２００の全領域を着色することによって、幅方向Ｗにおける長さＷ２００が１．５ｍｍ以上の第３着色領域Ｃ３が形成されていることが好ましい。第３の色も、第１の色及び第２の色と同様に、反射率曲線における反射率のピークが４００〜６５０ｎｍの波長の範囲内に位置する色であることが好ましい。例えば、第３の色は、黄に見える色であることが好ましい。
【００７７】
なお、インジケータ部２００は、排泄物としての液体を吸収すると、色が変化するように構成されており、第３着色領域Ｃ３が有する第３の色は、液体を吸収する前の色であることに留意すべきである。
【００７８】
（作用及び効果）
本実施形態に係る使い捨ておむつ１では、後胴回り領域ＢＡに一対の背側サイドフラップ部２０Ａ，２０Ｂが設けられ、一対の背側サイドフラップ部２０Ａ，２０Ｂには、一対の止着テープ５１，５２が設けられている。また、一対の止着テープ５１，５２には、第１の色によって着色される第１着色領域Ｃ１が形成されている。また、使い捨ておむつ１では、吸収性本体１０は、吸収性コア１３１と吸収性コア１３１を被覆する被覆シート１３２とを有する。被覆シート１３２には、第２の色によって着色される第２着色領域Ｃ２が前後方向Ｌに延びるように形成されている。
【００７９】
また、一対の止着テープ５１に形成される第１着色領域Ｃ１は、第１の色によって着色されており、第１の色は、反射率曲線における反射率のピークが４００〜６５０ｎｍの波長の範囲内に位置する色である。ここで、反射率曲線における反射率のピークが４００〜６５０ｎｍの波長の範囲内に位置する色は、反射率曲線における反射率のピークが４００〜６５０ｎｍの波長の範囲外に位置する色に比べて、暗所下における比視感度が高い。
【００８０】
よって、暗所下において、使い捨ておむつ１を着用者に装着するために、折り畳まれている新たな使い捨ておむつ１を展開した際に、一対の止着テープ５１，５２に形成される第１着色領域Ｃ１が視認されやすい。これにより、使い捨ておむつ１の前後方向Ｌが区別されやすいため、着用者の胴回りの背中側に対して、使い捨ておむつ１の後胴回り領域ＢＡを素早く当てることができる。つまり、使い捨ておむつ１の装着に要する時間を短縮できるため、着用者が寝ている場合であっても、着用者を起こすことなく、使い捨ておむつ１を装着できる。
【００８１】
本実施形態に係る使い捨ておむつ１では、第１着色領域Ｃ１と、第２着色領域Ｃ２とは、使い捨ておむつ１の幅方向中心線ＷＣＬを中心軸として、対称に形成されている。また、第２着色領域Ｃ２における第２の色も、反射率曲線における反射率のピークが４００〜６５０ｎｍの範囲内に位置する色である。
【００８２】
ここで、図４乃至５は、使い捨ておむつ１を着用者に装着する際の状態を模式的に示した図である。具体的に、図４は、使い捨ておむつ１の上に着用者を仰向けに寝かせた状態を模式的に示した図である。図５は、使い捨ておむつ１の前胴回り領域ＦＡを着用者に宛がった後、使い捨ておむつ１の止着テープ５１，５２を前胴回り領域ＦＡの係止テープ５３に止着する状態を模式的に示した図である。
【００８３】
本実施形態に係る使い捨ておむつ１では、第１着色領域Ｃ１と、第２着色領域Ｃ２とは、使い捨ておむつ１の幅方向中心線ＷＣＬを中心軸として、対称に形成されている。
【００８４】
これによれば、図４に示すように、使い捨ておむつ１の上に着用者を仰向けに寝かせた際に、第１着色領域Ｃ１と、第２着色領域Ｃ２とによって、使い捨ておむつ１の幅方向中心線ＷＣＬを認識しやすい。よって、使い捨ておむつ１の幅方向中心線ＷＣＬと、着用者の身体の幅方向中心とを一致させやすい。
【００８５】
特に、使い捨ておむつ１では、第１着色領域Ｃ１だけでなく、第２着色領域Ｃ２も形成されているため、第１着色領域Ｃ１と、第２着色領域Ｃ２との２つの目安によって、使い捨ておむつ１の幅方向中心線ＷＣＬを認識できる。すなわち、使い捨ておむつ１の幅方向中心線ＷＣＬと、着用者の身体の幅方向中心とをより一致させやすくなるめ、着用者の幅方向に対する使い捨ておむつ１の着用性を向上させることが可能になる。
【００８６】
また、使い捨ておむつ１では、第２着色領域Ｃ２の前後方向Ｌの前側の端部Ｃ２ａは、前胴回り領域ＦＡ内に位置している。これによれば、使い捨ておむつ１の上に着用者を仰向けに寝かせても、着用者に隠れることなく確実に視認できる。
【００８７】
このように、本実施形態に係る使い捨ておむつ１によれば、暗い環境下であっても、着用者に対する着用性を高めて、排泄物の漏れを改善することができる。
【００８８】
また、使い捨ておむつ１は、後胴回り領域ＢＡにおいて、ウエストギャザー８０が配置されており、一対の止着テープ５１，５２の前後方向Ｌにおける後側の端部５１a、５２ａが、ウエストギャザー８０の幅方向Ｗ外側に配置されている。
【００８９】
これによれば、第１着色領域Ｃ１を有する止着テープ５１を目安に、ウエストギャザー８０を着用者の胴回りの背中側に配置させやすいため、着用者の胴回りの背中側におけるウエストギャザー８０のズレを防ぐことができる。従って、かかる使い捨ておむつ１によれば、着用者の胴回りの背中側における使い捨ておむつ１の着用性を高められるので、着用者の胴回りからの排泄物の漏れを確実に防止することができる。
【００９０】
また、一対の止着テープ５１，５２の前後方向Ｌにおける後側の端部５１ｂ，５２ｂは、ウエストギャザー８０の前後方向Ｌにおける前側に位置する端部８０ａから前後方向Ｌにおける後側に向かって、ウエストギャザー８０の前後方向Ｌにおける全長の３０％以上の位置に配置されている。
【００９１】
これによれば、使い捨ておむつ１を着用者に装着する際に、一対の止着テープ５１が幅方向Ｗ外側に引き出されると、一対の止着テープ５１に連動して、ウエストギャザー８０を幅方向Ｗに引き延ばすことができる。すなわち、一対の止着テープ５１の引き延ばすことによって、ウエストギャザー８０の伸縮性をより確実に調整できるので、使い捨ておむつ１の着用者の胴回りの背中側における装着性を高めることができる。
【００９２】
また、使い捨ておむつ１では、第２着色領域Ｃ２の前後方向Ｌの後側の端部Ｃ２ｂは、使い捨ておむつ１の前後方向中心ＬＣＬよりも前後方向Ｌの後側に位置する。すなわち、第２着色領域Ｃ２は、前後方向中心ＬＣＬを跨って、股下領域ＣＡから前胴回り領域ＦＡまで前後方向Ｌに延びる。
【００９３】
これによれば、使い捨ておむつ１の上に着用者を仰向けに寝かせた際に、第２着色領域Ｃ２は、着用者に隠れることを防止できる。第２着色領域Ｃ２をより確実に視認することが可能になる。
【００９４】
また、使い捨ておむつ１では、吸収性コア１３１の表面シート１１０側において、被覆シート１３２の幅方向外側における一方の端部１３２ｘと、被覆シート１３２の幅方向外側における他方の端部１３２ｙとの間には、被覆シート１３２が重複する所定の重複領域Ｓが形成されている。かかる、所定の重複領域Ｓは、被覆シート１３２が重ねられていることによって、被覆シート１３２に着色された第２の色が濃くなる部分である。よって、被覆シート１３２に着色された第２の色が視認されやすくなる。また、所定の重複領域Ｓは、使い捨ておむつ１の幅方向中心線ＷＣＬ上に位置することが好ましい。また、所定の重複領域Ｓの幅方向における長さＷ２は、５ｍｍ〜３５ｍｍの範囲内であることが好ましい。
【００９５】
所定の重複領域Ｓの幅方向における長さＷ２が、５ｍｍ未満であると、第２の色が濃くなる部分が細くなりすぎてしまい、使い捨ておむつ１の幅方向中心線ＷＣＬが視認されにくくなる可能性があるためである。一方、所定の重複領域Ｓの幅方向における長さＷ２が３５ｍｍよりも大きいと、第２の色が濃くなる部分の幅方向Ｗにおける長さが大きすぎてしまう。これにより、第２の色が濃くなる部分に基づいて、使い捨ておむつ１の幅方向中心線ＷＣＬが識別されにくくなる恐れがある。
【００９６】
このように、所定の重複領域Ｓを上述の範囲内に配置することで、第２着色領域Ｃ２に着色される第２の色をより確実に視認できるととともに、第２着色領域Ｃ２によって使い捨ておむつ１の幅方向中心線ＷＣＬをより確実に認識することが可能になる。
【００９７】
更に、使い捨ておむつ１によれば、第２着色領域Ｃ２に着色される第２の色をより確実に視認できるため、視認化されやすい第２着色領域Ｃ２の幅方向外側の端部C2c,C2dの部分を基準として、第２着色領域Ｃ２の幅方向外側の端部C2c、C2dに近接するレッグサイド弾性部材１２５を、着用者の左右の足繰り近傍に宛がうように装着することができる。すなわち、レッグサイド弾性部材１２５を有するレッグサイドギャザーを着用者の足繰り周りにあてがうことができる。これによって、レッグサイドギャザーが着用者の足繰り周り以外の場所に当たって、着用者に不快感を感じさせることを防止できる。よって、使い捨ておむつ１によれば、着用者が寝ている場合であっても、着用者に不快感を与えることによって、着用者を起こすことなく、使い捨ておむつ１を着用者に装着できる。
【００９８】
また、使い捨ておむつ１では、着用者の体液が排泄されたことを裏面シート１２１の外側（衣服側）から識別可能なインジケータ部２００が配置されている。インジケータ部２００には、第３の色によって着色される第３着色領域Ｃ３が使い捨ておむつ１の幅方向中心線ＷＣＬに沿って形成されている。第３着色領域Ｃ３の幅方向Ｗにおける長さＷ２００は、１．５ｍｍ以上であり、第３着色領域Ｃ３における第３の色も、第１の色及び第２の色と同様に、反射率曲線における反射率のピークが４００〜６５０ｎｍの波長の範囲内に位置する色である。すなわち、第３の色も暗所下における比視感度が高い色である。
【００９９】
ここで、このように構成された使い捨ておむつ１を着用者に装着する場合、図５に示すように、使い捨ておむつ１の前胴回り領域ＦＡを着用者に宛がった後、使い捨ておむつ１の止着テープ５１，５２を前胴回り領域ＦＡの係止テープ５３に止着する。
【０１００】
使い捨ておむつ１では、インジケータ部２００に第３の色によって着色される第３着色領域Ｃ３が形成されているため、使い捨ておむつ１の前胴回り領域ＦＡを着用者に宛がった後においても、使い捨ておむつ１の幅方向中心線ＷＣＬを視認しやすい。よって、使い捨ておむつ１の幅方向中心線ＷＣＬと、着用者の身体の幅方向中心とを一致させやすい。すなわち、着用者の幅方向に対するおける使い捨ておむつ１の着用性を向上させることが可能になる。
【０１０１】
以上のように、本実施形態に係る使い捨ておむつ１によれば、折り畳まれた状態の新たな使い捨ておむつ１を展開する時から、使い捨ておむつ１の着用者への装着を完了する時までの一連のプロセスにおいて、着用者に対する使い捨ておむつ１の装着状態を視認することが可能になる。
【０１０２】
更に、使い捨ておむつ１では、外装シート１２２が、目付１３ｇ／ｍ２のＳＭＳ不織布を用いている。これにより、図５に示すように、使い捨ておむつ１を着用者に装着した際、第２着色領域Ｃ２の一部は、使い捨ておむつ１の衣服側から、外装シート１２２を介して視認可能である。
【０１０３】
このとき、使い捨ておむつ１が着用者に適切に装着されていれば、使い捨ておむつ１の衣服側から視認可能な第２着色領域Ｃ２の一部の形状は、前後方向Ｌに沿って延びる形状となる。更に、使い捨ておむつ１が着用者に適切に装着されていれば、止着テープ５１，５２の第１着色領域Ｃ１の延在方向は、係止テープ５３の延在方向と平行、すなわち、幅方向Ｗに沿って配置される。
【０１０４】
かかる観点から、使い捨ておむつ１が着用者に適切に装着されていれば、第２着色領域Ｃ２の一部の延在方向と、第１着色領域Ｃ１の延在方向との交差角度は、略直交する状態となる。よって、使い捨ておむつ１によれば、第１着色領域Ｃ１の延在方向と第２着色領域Ｃ２の一部の延在方向との交差角度が、略直交しているか否かを確認することで、着用者に対する使い捨ておむつ１の装着性を高めることができる。
【０１０５】
更に、使い捨ておむつ１の装着した後に、着用者の排泄物によって吸収性コア１３１の重みが増加すると、吸収性コア１３１の重みにより股下領域ＣＡが下がった場合となる。かかる場合、第１着色領域Ｃ１の延在方向と第２着色領域Ｃ２の一部の延在方向との交差角度が変化する。具体的には、かかる交差角度は、略直交している状態に比べて、大きくなる。したがって、使い捨ておむつ１によれば、第１着色領域Ｃ１の延在方向と第２着色領域Ｃ２の一部の延在方向との交差角度の変化によって、着用者が排泄物を排出したか否かを視認することも可能である。すなわち、使い捨ておむつ１の交換時期を容易に認識することも可能になる。
【０１０６】
また、使い捨ておむつ１では、表面シート１１０は、前後方向Ｌに延びる凹凸部１１１を有する。これによれば、使い捨ておむつ１の着用者の肌側から見た平面視において、凹凸部１１１によって第２着色領域Ｃ２に前後方向Ｌに延びる縞状の濃淡が形成される。このように前後方向Ｌに延びる縞状の濃淡が形成されることで、使い捨ておむつ１の前後方向Ｌを容易に認識できるとともに、使い捨ておむつ１の幅方向中心線ＷＣＬをより確実に認識することが可能になる。
【０１０７】
（変形例１）
次に、図６を参照して、第１実施形態の変形例１に係る使い捨ておむつ２を説明する。なお、以下の実施形態の説明においては、第１実施形態と異なる構成に着目して説明し、第１実施形態と同様の構成については、説明を省略する。
【０１０８】
具体的に、図６に示すように、使い捨ておむつ２では、吸収性コア１３１が、股下領域ＣＡにおいて、幅方向Ｗ内側に凹む幅方向凹部１６０を有する。また、使い捨ておむつ２では、少なくとも使い捨ておむつ２の股下領域ＣＡにおいて、第２着色領域Ｃ２の幅方向の長さと、吸収性コア１３１の幅方向Ｗの長さとは、同等である。
【０１０９】
具体的に、図に示すように、第２着色領域Ｃ２の幅方向Ｗにおける端部Ｃ２ｃ，Ｃ２ｄは、使い捨ておむつ１の着用者の肌側から見た平面視において、吸収性コア１３１の幅方向Ｗにおける端部１３１ｃ、１３１ｄに沿って設けられている。すなわち、第２着色領域Ｃ２の幅方向Ｗ外側における端部の形状は、吸収性コア１３１の幅方向Ｗ外側における端部の形状に沿っている。
【０１１０】
使い捨ておむつ２によれば、第２着色領域Ｃ２によって、吸収性コア１３１の形状が把握できる。具体的には、股下領域ＣＡにおいて、吸収性コア１３１が、幅方向凹部１６０を有する場合であっても、第２着色領域Ｃ２によって、吸収性コア１３１の形状が把握できる。よって、着用者に使い捨ておむつ２を装着する際に、排泄物が排泄される着用者の股間部に吸収性コア１３１を確実に宛がうことができる。
【０１１１】
このように、第２着色領域Ｃ２の形状は、必ずしも長方形状でなくてもよく、例えば、吸収性コア１３１の幅方向外側の端部の形状に沿って形成されていても良い。すなわち、第２着色領域Ｃ２は、被覆シート１３２の全領域に形成されていなくてもよい。
【０１１２】
（変形例２）
次に、図７を参照して、第１実施形態の変形例１に係る使い捨ておむつ３を説明する。なお、以下の実施形態の説明においては、第１実施形態と異なる構成に着目して説明し、第１実施形態と同様の構成については、説明を省略する。
【０１１３】
使い捨ておむつ３では、吸収性本体１０は、吸収性コア１３１と被覆シート１３２とにわたって凹む凹部３００を備える。
【０１１４】
凹部３００は、吸収性コア１３１と被覆シート１３２とに設けられる。凹部３００は、前後方向Ｌに延びる。なお、凹部３００は、吸収性コア１３１の前後方向Ｌの一方の端部から、他方の端部まで形成されていることが好ましい。
【０１１５】
凹部３００は、吸収性コア１３１と被覆シート１３２とを圧搾した圧搾部によって構成されていてもよい。また、凹部３００は、吸収性コア１３１と被覆シート１３２とを凹ませた溝部によって構成されていてもよい。凹部３００は、圧搾部と溝部との両方によって構成されていても良い。
【０１１６】
使い捨ておむつ３によれば、使い捨ておむつ３の着用者の肌側から見た平面視において、凹部３００によって第２着色領域Ｃ２に前後方向Ｌに延びる縞状の濃淡が形成される。このように前後方向Ｌに延びる縞状の濃淡が形成されることで、使い捨ておむつ３の前後方向Ｌを容易に認識できるとともに、使い捨ておむつ３の幅方向中心線ＷＣＬをより確実に認識することが可能になる。
【０１１７】
なお、図７の例では、表面シート１１０に凹凸部１１１が形成されていない場合を例に挙げているが、使い捨ておむつ３では、表面シート１１０に凹凸部１１１が形成されていてもよい。つまり、使い捨ておむつ３には、凹部３００と凹凸部１１１とが組み合わせて設けられていてもよい。
【０１１８】
（その他の実施形態）
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなろう。
【０１１９】
本実施形態では、背側サイドフラップ部２０と腹側サイドフラップ部３０とが取り付けられた使い捨ておむつ１について説明した。しかし、使い捨ておむつの形態は、本実施形態に限定されない。例えば、腹側サイドフラップ部を備えていなくてもよい。使い捨ておむつ１は、乳児用、幼児用、大人用の何れであってもよい。
【０１２０】
本実施形態では、第１着色領域Ｃ１は、一対の止着テープ５１，５２の全領域に形成されていた。しかし、第１着色領域Ｃ１の形態は、本実施形態に限定されない。例えば、第１着色領域Ｃ１は、一対の止着テープ５１，５２の前後方向Ｌにおける半分の領域に形成されていても良い。
【０１２１】
本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【０１２２】
Ｃ１…第１着色領域、Ｃ２…第２着色領域、Ｃ３…第３着色領域、ＣＡ…股下領域、ＦＡ…領域、Ｌ…前後方向、ＬＣＬ…前後方向中心、ＷＣＬ…幅方向中心線、Ｓ…重複領域、１０…吸収性本体、２０Ａ，２０Ｂ…背側サイドフラップ部、３０Ａ，３０Ｂ…腹側サイドフラップ部、５１，５２…止着テープ、５３…係止テープ、８０…ウエストギャザー、１１０…表面シート、１２０…外装シート、１２１…裏面シート、１２２…外装シート、１２３…レッグ弾性部材、１２３ａ…第１レッグ弾性部材、１２３ｂ…第２レッグ弾性部材、１２５…レッグサイド弾性部材、１３１…吸収性コア、１３２…被覆シート、１４１，１４２…サイドシート、１５０…中間シート、２００…インジケータ部
【図１】
2014200372.tif 000003
【図２】
2014200372.tif 000004
【図３】
2014200372.tif 000005
【図４】
2014200372.tif 000006
【図５】
2014200372.tif 000007
【図６】
2014200372.tif 000008
【図７】
2014200372.tif 000009